(57)【要約】【課題】使用者に本を閲覧する時と同様の使用感を提供して、ストレスなく利用できる電子ブックプレーヤーを提供することを課題とする。【解決手段】人が本を読む時に無意識に行っている“頁を弾く動作”に注目し、その動作を模擬するユーザーインターフェースを備えることで課題解決を図る。すなわち、紙を弾く動作を模擬できる複数の薄いシートを重ねた構造または弾力性を有する層状の構造と、紙を弾く動作を検出する複数のセンサと、これらのセンサが前記層状の構造を弾く動作を検出することによりページング動作を行うディスプレイデバイスと、を備えることを特徴とする電子ブックプレーヤーにより上記課題を解決する。【選択図】　図１
2004127087.tif 000002
【特許請求の範囲】
【請求項１】
デジタルコンテンツを閲覧するためのディスプレイ装置本体と、紙を弾く動作を模擬できる層状の構造と、前記層状の構造に設けられた紙を弾く動作の模擬動作を検出する複数のセンサと、これらのセンサの検出信号を集めて前記ディスプレイ装置本体のＣＰＵにページング動作を要求するセンサ受信部と、を備えることを特徴とする電子ブックプレーヤー。
【請求項２】
前記複数のセンサは、前記層状の構造を構成する薄いシートのそれぞれまたは層状の構造の各層の両面に設けた電気接点対であって、それらが一旦離れ再び接触することにより紙を弾く動作の模擬動作を検出することを特徴とする請求項１に記載の電子ブックプレーヤー。
【請求項３】
前記センサ受信部は、前記ＣＰＵに要求するページング動作の速さを、前記層状の構造を構成する薄いシートのそれぞれまたは層状の構造の各層に設けた隣り合う一連の複数の前記電気接点対が連続的に離れ再び接触する動作の速さにより弾く動作の速さを検知して、この速さに基づいて決定することを特徴とする請求項２に記載の電子ブック。
【請求項４】
前記複数のセンサは、前記層状の構造を構成する薄いシートのそれぞれまたは層状の構造の各層に設けた歪みセンサあるいは圧力センサであって、これらのセンサにより歪みまたは圧力の変化を検知することにより紙を弾く動作の模擬動作を検知することを特徴とする請求項１に記載の電子ブックプレーヤー。
【請求項５】
前記センサ受信部は、前記ＣＰＵに要求するページング動作の速さを、前記層状の構造を構成する薄いシートのそれぞれまたは層状の構造の各層に設けた隣り合う一連の複数の歪みセンサあるいは圧力センサが感知する歪みまたは圧力が連続的に変化し、再び元の状態に戻る速さにより弾く動作の速さを検知して、この速さに基づいて決定することを特徴とする請求項４に記載の電子ブックプレーヤー。
【請求項６】
請求項１に記載の電子ブックプレーヤーにおいて、ディスプレイ装置本体の背面にひずみセンサまたは圧力センサを設けて、このセンサが検出する歪みまたは圧力の変化の大きさを、要求されるページング動作の速さとしてページング動作を行う事を特徴とする電子ブックプレーヤー。
【請求項７】
請求項３または請求項５のいずれかに記載の電子ブックプレーヤーにおいて、ディスプレイ装置本体の背面にひずみセンサまたは圧力センサを設けて、このセンサが検出する歪みまたは圧力の変化の大きさと、前記層状の構造に設けたセンサにより前記センサ受信部が検知する弾く動作の速さと、から要求されるページング動作の速さを決定してページング動作を行うことを特徴とする電子ブックプレーヤー。
【発明の詳細な説明】
【０００１】
【発明の属する技術分野】
本発明は、ページング動作を行う電子ブックプレーヤーに関する。ここで電子ブックプレーヤーとは、電子辞書や電子文庫本などのデジタルコンテンツ（電子ブック）を閲覧する目的で設計された小型のディスプレイ端末装置である。
【０００２】
【従来技術】
薄型の電子ディスプレイの進歩は目覚しく、先鋭さ、色の鮮やかさ、視野角の広さ、動画の滑らかさといった画質の向上とともに、より薄く、より軽く、書込み可能、変形自在といった紙の操作性の長所を取り入れようとする方向への技術開発も行われている。すなわち、薄型の電子ディスプレイに関して、人が古くから親しんでいる紙や本などの伝統的な媒体と同様な使用感を求める潜在的な要求に応えようとする開発の方向がある。
【０００３】
特許文献１では、ディスプレイをくぼませる、スクイズする、折りたたむ、丸める、引っ張る、つまむ、隅を折る、念じる、切り裂く、穿孔するといった物理的操作の形態素に加え、平行移動、振り動かす、回転、傾ける、軽く振る、スピン、持ち上げる、強打するといった空間的操作の形態素により、電子ディスプレイを本や紙のように扱うユーザーインターフェースが提案されている。また、非特許文献１では、書籍のように二つ折りできるディスプレイが紹介されている。
【０００４】
【特許文献１】
特開平１１−１４３６０６号公報（第２−１０頁、第３−１０図）
【非特許文献１】
「印刷雑誌」　２００２年（Ｖｏｌ．８５）５月号　ｐ．３−２７「紙とディスプレイの融合」
【０００５】
【発明が解決しようとする課題】
しかし、紙を重ね合せた本と１枚のシート状の電子ディスプレイでは、その物理的特徴とそれによって制約を受けるユーザーインターフェースは大きく異なっている。通常の電子ディスプレイのページングは、マウスポインタ、タッチパネル若しくはペン入力により、「改ページ」ボタンを選択する等の方法が取られている。このようなユーザーインターフェースは、書籍の頁をめくることにより“ページング”するという慣れ親しんだ使用感と根本的に異なるものなので、電子ディスプレイの操作者にとってはストレスが溜まることとなる。
【０００６】
本発明はこのような問題点を考慮してなされたものであり、使用者に本を閲覧する時と同様の使用感を提供して、ストレスなく利用できる電子ブックプレーヤーを提供することを課題とする。
【０００７】
【課題を解決するための手段】
上記課題を解決するため本発明では、人が本を読む時に無意識に行っている“頁を弾く動作”に注目し、その動作を模擬するユーザーインターフェースを備えることで課題を解決を図った。すなわち課題を解決する第１の発明は、デジタルコンテンツを閲覧するためのディスプレイ装置本体と、紙を弾く動作を模擬できる層状の構造と、前記層状の構造に設けられた紙を弾く動作の模擬動作を検出する複数のセンサと、これらのセンサの検出信号を集めて前記ディスプレイ装置本体のＣＰＵにページング動作を要求するセンサ受信部と、を備えることを特徴とする電子ブックプレーヤーである。
【０００８】
上記ディスプレイ装置本体は、電子ブックと称されるデジタルコンテンツデータを記録するハードディスク、ディスプレイ、デジタルコンテンツデータを読み出し閲覧表示させる動作の命令を記述した制御プログラム、ＣＰＵ、その他必要なメモリ装置等を備えたものである。そして、前記センサ受信部は、いずれか一つのセンサが弾く動作を検出した時に、前記ディスプレイ装置本体のＣＰＵにページング動作を要求する。
【０００９】
ここで、前記層状の構造を弾く動作の検出を行うセンサは、層状の構造を構成する各層（シート）の両面に備えた電極対を用いてもよい。この場合は、隣り合う一つの層の向かい合う面に設けられたプラスとマイナスの電極対が一旦離れ（オフ）再び接触（オン）することによりシートが弾かれたことを検知する。前記層状の構造を弾く動作の検出を行うセンサは、このような電極対の他、歪みセンサや圧力センサを用いることもできる。
【００１０】
また、前記センサ受信部は、複数の連続するシートが連続してオフオンする一連の動作の速さを捉えて、操作者の弾く動作の速さを検出し、これに基づいてＣＰＵに要求するページ送り動作の速さとすることもできる。このように装置を構成することで、より紙の本の使用感に似た電子ブックプレーヤーとすることができる。
【００１１】
また、ディスプレイの背面に歪みセンサまたは圧力センサを設けて、これらのセンサが検知する歪みや圧力の量の変化に基づいて、ＣＰＵに要求するページ送り動作の速さとすることもできる。あるいは、前記センサ受信部が検出する操作者の弾く動作の速さと、前記背面に設けるセンサが検出するディスプレイ背面の歪みや圧力の量の変化の両方を勘案してページ送り動作の速さとしてもよい。
【００１２】
【発明の実施の形態】
以下図面を用いて、本発明の実施形態でを説明してゆく。図１は、本発明の実施形態に係る電子ブックプレーヤー１の外観図である。電子ブックプレーヤー１は中心部である電子ディスプレイ本体１０と、本体１０の正面から見て左右に対称に頁を弾く動作を模擬する層状の形状１２を有している。図３は電子ディスプレイ本体１０の内部構成を説明するブロック図である。電子ディスプレイ本体１０は、ＣＰＵ１３、メモリ１６、ハードディスク１５、通信部１４、センサ受信部１８を備えている。本体１０の前面にはコンテンツデータを表示する表示部１１が備えられる。
【００１３】
層状の形状１２は、ある程度の幅を有する複数の薄いシートを束ねて重ねた形状を有する。複数の頁を製本した本を扱う時の、頁をめくる時の頁を弾く動作を模擬できる形状と構造を有したものである。層状の形状を構成するシートの材質は、紙、薄いプラスチックシート、フィルム等、絶縁体で適当な弾力があればよい。層状の形状１２を構成する各層には、センサとして薄い電極を、シートの両面にそれぞれはり込む。図２は、隣り合う２枚のシートに挟まれた２つの電極の配置を説明する図である。マイナス側電極が上側のシートの下側の面に固定されており、プラス側の電極が下側のシートの上側の面に固定される。これらが１組の電極対をなす。通常は、隣り合うシートは重なっているので、２つの電極は接しており通電状態（ＯＮ）である。操作者が層状の形状１２のシートを弾くと、一時的に２つの電極は離れ、電気が通らない状態（ＯＦＦ）となるが、すぐに元の状態に戻る。このＯＮ／ＯＦＦ情報を検知することにより、操作者の頁を弾く動作を検知することができる。
【００１４】
通信部１４は、無線または有線でインターネットあるいは通信衛星からコンテンツデータを取得する周辺モジュールである。取得されたコンテンツデータはハードディスク１５に記録される。センサ受信部１８は、層状の形状１２の各シートに固定された電極の導電線を集め、先に説明した操作者の頁を弾く動作を検知する。センサ受信部１８は、いずれか１対の電極対がオフし再びオンすることを検知すれば、層状の形状１２のどれかのシートが弾かれたことになるので、ページング要求が起きたことをＣＰＵ１３に伝える。電子ブックプレーヤ１を制御するプログラムはハードディスク１５およびメモリ１６の不揮発領域に記録されている。ＣＰＵ１３は、制御プログラムを呼出して、コンテンツデータの受信、ハードディスクへの記録、コンテンツデータの呼出し及び表示、ページング動作の検知、ページング動作の実行、その他の電子ブックプレーヤー１として動作させる一連の命令を実行する。
【００１５】
以上、本発明の装置の基本的な実施形態を説明したが、以下では本発明の様々な変形例を説明する。
【００１６】
［ディスプレイの形態］
図４は、二つ折りディスプレイを採用した本装置の形態を示したものである。このような二つ折りディスプレイを採用すると、より本を読む感覚に近づけた使用感を本装置の使用者に提供することができる。
【００１７】
［層状の形状１２に固定するセンサ］
頁を弾く動作を検知する方式は、電極方式に限定されるものではない。例えば、層状の形状１２を構成するシートのそれぞれに歪みセンサ、あるいは圧力センサを設けて、各シートに加わる、歪みや圧力により頁を弾く動作を検知する構成としてもよい。
【００１８】
［層状の形状１２の形態］
図５は、層状の形状１２をタブ状にした変形例を示す。層状の形状１２は、側面の縦方向長さと同じ縦方向サイズを要する必要はなく、図５のように、側面の縦方向長さより小さいサイズを持つタブ状の形状として備えてもよい。
【００１９】
図６は、層状の形状１２の他の態様を説明する図である。図６では、もともと別々の複数の薄いシートを閉じて構成するような構図ではなく、適度な弾力のある部材を一方の端が層状をなすように一体として加工したものである。このような構造であっても、頁を弾く動作を模擬でき、複数のセンサを設けることによりその模擬動作が生じたことをディスプレイ本体１０に伝えることができればよい。
【００２０】
［頁を弾く速さ］
センサ受信部１８は、いずれか１対の電極対がオフし再びオンすることを検知すれば、層状の形状１２のどれかのシートが弾かれたことになるので、ページング要求が起きたことをＣＰＵ１３に伝える。これに対して、操作者がページ送りを早く行いたい場合は、図７（ａ）に示すように、連続する複数のシートを連続的に弾くので、図７（ｂ）に示すように、複数の連続する電極対が連続してオフオンすることになる。操作者が層状の形状１２のシートを連続して弾く動作の速さと、複数の連続する電極対が連続してオフオンする速さは比例する。したがって、センサ受信部１８は、連続する電極対が連続してオフオンする速さを計算することにより、操作者がページを弾く動作の速さを検知することができる。コンテンツデータのページ送り速さをこの速さに比例させるように制御プログラムを作成すれば、より本を読む感覚に近づけた電子ディスプレイを実現することができる。
【００２１】
［背面歪みセンサの付加］
図８は、折り畳みタイプのディスプレイ本体を使用した場合に、ディスプレイ本体の背面に歪みセンサまたは圧力センサを設けた態様を示している。背面の歪みまたは背面にかかる圧力の大きさと操作者が要求するページ送りの速さは比例するということができる。したがって、操作者が要求するページ送りの速さは、この背面に設けるセンサだけから検知するように構成することもできる。あるいは、層状の形状１２に設けた複数の連続する電極対が連続してオフオンする速さと背面センサの検知する量とを併用して、両者の値を総合してページ送りの速さを決定するよう装置を構成することもできる。
【００２２】
【発明の効果】
以上、詳しく説明したように、本発明に係るディスプレイ装置によれば、電子ブックにもかかわらず、本と同じ閲覧間隔が得られるためストレスなく利用できるという顕著な効果を奏する。
【図面の簡単な説明】
【図１】本発明に係る電子ブックプレーヤ１の外観図である。
【図２】隣り合う２枚のシートに挟まれた電極対の配置を説明する図である。
【図３】電子ディスプレイ本体１０の内部構成を説明するブロック図である。
【図４】二つ折りディスプレイを採用した本装置の形態を示した図である。
【図５】層状の形状１２をタブ状にした変形例を示す。
【図６】層状の形状１２の他の態様を説明する図である。
【図７】ページ送りの速さを検知する仕組みを説明する図である。
【図８】二つ折りディスプレイを用いた電子ブックプレーヤの背面に歪みセンサを取付けた態様の外観図である。
【符号の説明】
１　　　　　本発明の実施形態に係る電子ブックプレーヤー
１０　　　ディスプレイ本体
１１　　　表示部
１２　　　層状の形状
１３　　　ＣＰＵ
１４　　　通信部
１５　　　ハードディスク
１６　　　メモリ
１８　　　センサ受信部
１９　　　センサ
【図１】
2004127087.tif 000003
【図２】
2004127087.tif 000004
【図３】
2004127087.tif 000005
【図４】
2004127087.tif 000006
【図５】
2004127087.tif 000007
【図６】
2004127087.tif 000008
【図７】
2004127087.tif 000009
【図８】
2004127087.tif 000010